(57)【要約】【課題】絶縁部を剥ぎ取ることなく同軸ケーブル２２の終端をインライン接続および９０度角度接続の両方で接続可能とすること。【解決手段】オーディオ・ビデオプラグ及び電源プラグは、インライン接続または９０度角度接続の何れかで同軸ケーブル２２に接続可能とする。オーディオ・ビデオプラグは、周回に研磨面３３を有し、連結されるソケットを清浄する。【選択図】図２
2009170393.tif 000002
【特許請求の範囲】
【請求項１】
インライン接続または９０度角度接続の何れかで同軸ケーブルに接続可能で、周回に研磨面を有し、連結されるソケットを清浄するのに適していることを特徴とするオーディオ・ビデオプラグ。
【請求項２】
インライン接続または９０度角度接続の何れかで同軸ケーブルに接続可能であることを特徴とするオーディオ・ビデオプラグ。
【請求項３】
周回に研磨面を有し、連結されるソケットを清浄するのに適し、同軸ケーブルに接続可能であることを特徴とするオーディオ・ビデオプラグ。
【請求項４】
インライン接続または９０度角度接続の何れかで同軸ケーブルに接続可能であることを特徴とする同軸電源供給プラグ。
【請求項５】
直径の異なる電源供給プラグキットとして提供され、それぞれがインライン接続または９０度角度接続の何れかで同軸ケーブルに接続可能であることを特徴とする同軸電源供給プラグ。
【発明の詳細な説明】
【技術分野】
【０００１】
本発明において、ここに開示された装置は、ケーブルに接続可能なプラグに関し、特に同軸ケーブルの終端に接続するのに適し、オーディオ・ビデオ伝送及び同軸型式電源プラグに汎用されるプラグに係る。本装置は、ユーザーが同軸ケーブルの終端にプラグを接続するものであって、ユーザーの選択で同軸ケーブルがインライン（直線状）或いは９０度角度の何れかで接続される。加えて、具体例としては独自の自浄チップ（先端部）が設けられ、接合する雌プラグから埃や腐食物を継続的に清浄、除去することを可能にする。
【背景技術】
【０００２】
ジャック・プラグやオーディオ・ビデオプラグは一般的なオーディオコネクタである。形状は円柱型で、２個以上のコンタクト（接点）がある。
【０００３】
一般に、直流または低電圧交流を小型変圧器から装置に伝送する電源供給プラグは、円柱型である。
【０００４】
接続可能なオーディオ型プラグは、本来は電子交換に先立って電話交換台で使用されるために発明されたもので、当初は１／４インチサイズであって、また小型電子部品への接続に適した小型化された態様でオーディオ・ビデオ伝送に未だ広く使用されている。
【０００５】
そのようなプラグの好ましい使用は、エンターテインメントや音楽業界におけるものであり、そこではギターやアンプが同軸ケーブルで接続され、様々な種類の音声機器が、このようなプラグを両端に有する継ぎケーブル（パッチケーブル）で相互接続されている。
【０００６】
バレル型接続をもつ電源供給プラグは、供給される電圧や製造者に依存して、多くのサイズで作製される。それらは、一般的に、ピンを接触させるために中空バレルとアースを与えるための円柱型の外観を有している。従来から、これらの形式のプラグは、一般に低電圧電源をラジオや時計、コンピュータ機器に供給し、そして電源搬送回路の同軸接続する使用をして、回路の連結中にスパークやショートを避けるために汎用されている。
【０００７】
殆ど全てのエレキギターは、それらの出力コネクタとしてモノジャック（ソケット）に連結可能な１／４インチプラグを使用する。ギター、ベースや同様のアンプを要する音楽機器のための楽器用アンプは、圧倒的な支持を得て、このようなプラグを用いている。これは、楽器とギターからの出力を受けるエレキアンプ或いは他の音楽コンポーネント間の相互接続の標準形態である。スピーカには、アンプとフットスイッチ（フットペダル）とエフェクトペダル（エフェクター）から出力され、また一般に、それらの相互接続のため同軸ケーブルの終端に接続される１／４インチプラグを使用する。他の楽器、例えばキーボードやエレキドラムは同様の形態を採用している。
【０００８】
音楽機器、アンプ、スピーカー、エフェクトコンポーネント、ペダル等の相互接続は、本来、異なる長さの同軸継ぎケーブルを必要とする。さらに、プラグへのケーブルの接続角度は、多くの場合、インライン或いは９０度角度に与えられるように要求され、機材を相互接続するときスペースと他の検討事項に適応する。
【０００９】
工場生産オーディオケーブルと電源ケーブルは、予め終端にプラグを設けたものであって、それらは角度のみならず長さについても接続をカスタマイズするのは容易ではない。何故なら、プラグは従来、オーディオケーブルや電源ケーブルの終端にハンダ付けされているためである。
【発明の開示】
【発明が解決しようとする課題】
【００１０】
したがって、ユーザーは、計画された接続と長過ぎ或いは短過ぎるケーブルのために、誤った角度で接続されたプラグ付きの継ぎケーブルを、多くの場合、そのまま使用していた。
【００１１】
さらに、このような継ぎケーブルが採用されている環境下において、埃や腐食はプラグに接続しているソケットに影響を及ぼして、プラグと接続されるとき、信号の損失若しくは歪みを引き起こすことになる。
【００１２】
本発明によれば、開示した装置は、同軸ケーブルの終端にオーディオ・ビデオプラグ或いはこのような同軸ケーブルの終端に電源プラグをハンダ付け無しで接続を容易にカスタマイズする機能である。１／４インチオーディオ・ビデオプラグとして、又は図６において同軸電源供給プラグとして示されるが、本装置は、勿論、１／８インチや他の直径においても同様に容易に使用することができる。
【００１３】
本装置は、同軸ケーブルの終端への接続における新規手段を提供するもので、ケーブルの終端に、シングル形式のプラグをインライン接続又は９０度角度接続の両方で接続可能となっている。両接続型式において、ケーブルの終端への接続中に位置決めネジやカラーによって、アースは既存の絶縁部の切断を通じてケーブルからプラグに接続される。
【００１４】
また、中心導体も、位置決めネジのネジ締めに先立って、容易に接続され、それは同軸ケーブルの中央線へスピア（やり形接続子）或いはピン型接続を使用することによってなされる。したがって、ユーザーはケーブルそのものから絶縁部を剥ぎ取ることなく同軸ケーブルの終端に優れた電子的導通接続を達成することができる。
【００１５】
通路を有するプラグ接続可能なカラーを使用することにより、プラグへのインライン接続が容易に達成される。９０度角度接続も、同じプラグの側面の開口とプラグ内へのカラーの着座を通じて、同様に容易に達成される。オプションとして、オーディオ型プラグの末端チップ（先端部）の外側上に、粗面加工面或いは研磨面も使用中に破片や腐食物のあるソケットを清浄する継続的な手段として採用される。
【００１６】
したがって、本発明の目的は、絶縁部を剥ぎ取ることなく同軸ケーブルの終端を接続可能であるシングルオーディオ・ビデオプラグを提供することにある。
【００１７】
本発明の他の目的は、シングル型において、このようなプラグを提供して、インライン接続および９０度角度接続の両方を提供するものである。
【００１８】
本発明の他の目的は、プラグ上に研磨面を提供し、接続されるソケットを清浄することである。
【００１９】
本発明の他の目的は、絶縁部を剥ぎ取ることなく、直線状或いは９０度角度の何れかで同軸ケーブルの終端に接続可能なシングル同軸型電源プラグを提供することである。
【００２０】
以上の記載や背景について、本発明の少なくとも一つの好ましい実施例を詳細に説明する前に、本発明は、以下の説明に記載又は図面に図示されている本願において構造の詳細や構成要素の態様及び／又はステップに限定されないことを理解されたい。ここに記載され、開示されている本発明の幾つかの装置や方法は、その他の実施例であり得るものであって、またこの開示を見れば、当業者には自明である幾つかの手法で実施され、実行される。また、ここで使用された表現と用語は、説明の目的で使用され、それに限定されるべきではないと理解されたい。
【課題を解決するための手段】
【００２１】
上記の目的を達成するために、本発明の装置は、同軸ケーブルの終端にオーディオ・ビデオプラグ或いはこのような同軸ケーブルの終端に電源プラグをハンダ付け無しで接続を容易にカスタマイズする機能である。１／４インチオーディオ・ビデオプラグとして、又は図６において同軸電源供給プラグとして示されるが、本装置は、勿論、１／８インチや他の直径においても同様に容易に使用することができる。
【００２２】
本発明の装置は、同軸ケーブルの終端への接続における新規手段を提供するもので、ケーブルの終端に、シングル形式のプラグをインライン接続又は９０度角度接続の両方で接続可能となっている。両接続型式において、ケーブルの終端への接続中に位置決めネジやカラーによって、アースは既存の絶縁部の切断を通じてケーブルからプラグに接続される。
【００２３】
また、中心導体も、位置決めネジのネジ締めに先立って、容易に接続され、それは同軸ケーブルの中央線へスピア（やり形接続子）或いはピン型接続を使用することによってなされる。したがって、ユーザーはケーブルそのものから絶縁部を剥ぎ取ることなく同軸ケーブルの終端に優れた電子的導通接続を達成することができる。
【００２４】
通路を有するプラグ接続可能なカラーを使用することにより、プラグへのインライン接続が容易に達成される。９０度角度接続も、同じプラグの側面の開口とプラグ内へのカラーの着座を通じて、同様に容易に達成される。オプションとして、オーディオ型プラグの末端チップ（先端部）の外側上に、粗面加工面或いは研磨面も使用中に破片や腐食物のあるソケットを清浄する継続的な手段として採用される。
【発明の効果】
【００２５】
本発明のシングルオーディオ・ビデオプラグによれば、絶縁部を剥ぎ取ることなく同軸ケーブルの終端を接続可能である。
【００２６】
本発明のシングルオーディオ・ビデオプラグによれば、インライン接続および９０度角度接続の両方が可能となる。
【００２７】
本発明のシングルオーディオ・ビデオプラグによれば、プラグ上に研磨面を備えているので、接続されるソケットを清浄できる。
【００２８】
本発明のシングル同軸型電源プラグによれば、絶縁部を剥ぎ取ることなく、直線状或いは９０度角度の何れかで同軸ケーブルの終端に接続可能である。
【発明を実施するための最良の形態】
【００２９】
以下、本発明をその好ましい実施の最良の形態について、図面を参照して説明する。
【００３０】
図１に示すように、装置１０は、その本体部分１４にネジ接続されるのに適した接続可能なカラー１２を使用している。カラー１２の接続部の反対側から伸びているのは、ソケット（図示せず）に接続可能なオーディオ・ビデオプラグ１６であり、図示されているように２つのコネクタ１７および１９を有し、それぞれ２線信号の一部を搬送する。勿論、３線や他の複数線コネクタが存在し、装置１０はこれらの形態にも適応可能であり、このようなものは知られている。
【００３１】
図３および図４に示す両方の接続において、ケーブル２２の中心導体は、プラグ１６の内側へ軸方向に位置決めされたスピア２６上に電気的に接続される。
【００３２】
したがって、スピア２６は、ケーブル２２をその絶縁被覆を剥ぎ取ることなく電気的接続を可能にしている。
【００３３】
図２に示すように、カラー１２は接合するネジ２１で本体部分１４に両方の部品に接続し、仮に図４の９０度角度で接続されるとすると、カラー１２が本体部分１４にねじ込まれ、ケーブル２２上に圧縮力を付与することを可能にしている。この圧縮力はケーブル２２の絶縁被覆を切断し、絶縁被覆を剥ぎ取ることなく環状アース導線に電気的に接続する。スピア２６はケーブル２２の中心導体に接続するので、したがって両ワイヤーは、装置１０のそれぞれの部品へ電気的に接続される。
【００３４】
装置１０への９０度角度接続は、開口部２９によって齎らされ、ケーブル２２が開口部２９を通り、スピア２６上への接続へむけて曲がった経路を辿る。一旦、スペア２６上に接続すると、カラー１２は本体１４へ接続され、そしてケーブル絶縁被覆との係合および切断がなされ、電気的接続を得るようにしている。
【００３５】
図３に示されるインライン（直線状）接続は、ケーブル２２を、カラー１２を軸方向に延びている通路３０を貫通させることによって得られる。一旦、ケーブル２２の中心導体がスピア２６上に接続されると、本体１４へネジ止めされる位置決めネジ３２はネジ回され、ケーブル絶縁部４０へ圧力をかけ、そのアース部へ電気的に接触する。この位置決めネジ３２はまたケーブル２２を装置１０へ固定している。勿論、図４のように接続されたとき、カラー１２はケーブル２２を固定し、そしてアースを提供しているが、位置決めネジ３２は、安全上、この形態で接続されるときが最適である。
【００３６】
図６に示されるプラグは、オーディオ・ビデオプラグ型式部品として前述の形態にて機能するが、電源供給プラグ１１である。図示されているように、同軸ケーブル接続は、オーディオ・ビデオプラグの態様と同様に機能し、オーディオ・ビデオプラグと同様に同軸ケーブルへの複数のサイズの電源プラグの接続を可能にし、そして直線状接続又は９０度角度の何れかの接続をもたらす。異なるサイズ径のバレル部３５が提供され、異なるサイズのレシーブキャビティへの同軸接続を可能としている。これらの異なる径の電源供給プラグ１１は一式のキットとして提供され、ユーザーが、適当なサイズの電源供給プラグ１１で同軸レシーブキャビティへの適切な接続を可能にする。
【００３７】
したがって、図示されているように、オーディオ・ビデオプラグ型式における装置１０及び電源プラグ型式における装置１１は、ケーブル２２をハンダ付け又は絶縁被覆の剥ぎ取る必要もなく、同軸ケーブルの終端において、インライン或いは９０角度度の接続の何れかでユーザーによって容易に接続可能となる。
【００３８】
最後に、装置１０のオーディオ・ビデオプラグ型式において、特に有用なオプションは粗面加工された研磨面３３によって提供され、それは正極コネクタ１９の先端最広部の周回に配置されている。このコネクタ１９は最初にソケットに差し込まれ、したがって、この研磨面３３は、ソケットの接触部上で積もった或いは存在するソケットの埃や腐食物、他の物質を清浄する。
【００３９】
同軸ケーブルのインライン接続と９０角度接続両方に対するオーディオ・ビデオプラグの全ての基本的特徴は既に開示され図示されているが、その特定の実施例を参照して、幾つかの改良、各種の変更や置換の許容範囲は、前述の開示内にあるものであり、幾つかの場面において、本発明の幾つかの特徴は、他の特徴の対応する使用をすることなく記載された本発明の請求の範囲から逸脱することなく利用されることが明白になる。置換、改良そして変形は本発明の思想や範囲から逸脱することなく、当業者によって行なえることは理解される。したがって、改良や変形全ては、ここにおいて規定される本発明の範囲内に含まれる。
【００４０】
本発明のオーディオ・ビデオプラグ及び電源供給プラグは図７に示すように使用される。
【００４１】
エレキギター４２、ベースギター４４はオーディオ・ビデオプラグａ．ｃ．を介してエフェクター４６にそれぞれ接続される。エフェクター４６及びキーボード４８はオーディオ・ビデオプラグａ．ｃ．を介してフットペダル５０にそれぞれ接続される。フットペダル５０はオーディオ・ビデオプラグａ．ｃ．を介してスピーカ付きオーディオアンプ５２、５４にそれぞれ接続される。
【００４２】
エフェクター４６及びスピーカ付きオーディオアンプ５２、５４は電源プラグｐ．ｃ．を介して電源から給電される。フットペダル５０はスピーカ付きオーディオアンプ５４から電源プラグｐ．ｃ．を介して給電される。キーボード４８はフットペダル５０から電源プラグｐ．ｃ．を介して給電される。
【図面の簡単な説明】
【００４３】
【図１】本発明のオーディオ・ビデオプラグを分解側面図である。
【図２】図１に示したオーディオ・ビデオプラグの断面図である。
【図３】本発明のオーディオ・ビデオプラグにおいて、ケーブルへのインライン接続を示す図である。
【図４】本発明のオーディオ・ビデオプラグにおいて、ケーブルへの９０度角度接続を示す図である。
【図５】本発明のオーディオ・ビデオプラグにおいて、接続するソケットを破片、埃や腐食より清浄するのに適したプラグの研磨外表面を示す図である。
【図６】本発明のプラグ装置において、小型電気装置へ変圧電力を供給するために従来から採用されている同軸電源プラグの断面図である。
【図７】本発明のオーディオ・ビデオプラグ及び電源プラグの使用形態例を示す配線図である。
【符号の説明】
【００４４】
１０・・・オーディオ・ビデオプラグ
１１・・・電源供給プラグ
２２・・・同軸ケーブル
３３・・・研磨面
【図１】
2009170393.tif 000003
【図２】
2009170393.tif 000004
【図３】
2009170393.tif 000005
【図４】
2009170393.tif 000006
【図５】
2009170393.tif 000007
【図６】
2009170393.tif 000008
【図７】
2009170393.tif 000009